(57)【特許請求の範囲】
【請求項１】
消費したエネルギー値を確定する方法であって、
弾性マットの表面の変形情報を取得することと、
前記弾性マットの表面の変形情報に基づいて、対応する変形を発生した場合のユーザが消費したエネルギー値を確定することと、
前記エネルギー値を記録することとを含み、
前記変形情報は、前記弾性マットの表面の予め設定された各検出点の変形程度と変形時間を含み、
前記変形程度が一回の変形中、検出点における、前記弾性マットの表面の初期位置から最大変形位置までの距離であり、前記変形時間が一回の変形中、検出点に前記弾性マットの表面が初期位置から最大変形位置に変形する時間である、前記消費したエネルギー値を確定する方法。
【請求項２】
前記弾性マットの表面の変形情報に基づいて、対応する変形を発生した場合のユーザが消費したエネルギー値を確定することは、
前記弾性マットの表面の予め設定された各検出点の変形程度と変形時間に基づいて、前記弾性マットの各検出点にユーザが前記弾性マットに作業する値を確定することと、
すべての予め設定された検出点に対応する作業値の総和をユーザが消費したエネルギー値として確定することとを含む、請求項１に記載の方法。
【請求項３】
前記方法は、
変形程度、変形時間と予め設定された調整係数に基づいて、前記弾性マットの検出点に作業する値を計算する計算式を構築することと、
前記弾性マットの各検出点に対して、実際に検出された前記検出点の変形程度、変形時間と前記検出点に作業する値に基づいて、前記計算式における各調整係数の値を確定し、各検出点に対応する、係数が確定された計算式を取得することとをさらに含み、
前記弾性マットの表面の予め設定された各検出点の変形程度と変形時間に基づいて、前記弾性マットの各検出点にユーザが前記弾性マットに作業する値を確定することは、
前記弾性マットの表面の予め設定された各検出点の変形程度と変形時間、および各検出点に対応する、係数が確定された計算式に基づいて、前記弾性マットの各検出点にユーザが前記弾性マットに作業する値を確定することを含む、請求項２に記載の方法。
【請求項４】
前記弾性マットの各検出点に対して、実際に検出された前記検出点の変形程度、変形時間と前記検出点に作業する値に基づいて、前記計算式における各調整係数の値を確定し、各検出点に対応する、係数が確定された計算式を取得することは、
前記弾性マットの各検出点に対して、各運動タイプにおいて、実際に検出された前記検出点の変形程度、変形時間と前記検出点に作業する値に基づいて、前記計算式における各調整係数の値を確定し、運動タイプ、検出点と係数が確定された計算式の対応関係を取得することを含み、
前記弾性マットの表面の予め設定された各検出点の変形程度と変形時間、および各検出点に対応する、係数が確定された計算式に基づいて、前記弾性マットの各検出点にユーザが前記弾性マットに作業する値を確定することは、
現在の運動タイプを取得することと、
前記運動タイプ、検出点と係数が確定された計算式の対応関係に基づいて、前記現在の運動タイプにおける各検出点に対応する、係数が確定された計算式を確定することと、
前記弾性マットの表面の予め設定された各検出点の変形程度と変形時間、および前記現在の運動タイプにおける各検出点に対応する、係数が確定された計算式に基づいて、前記弾性マットの各検出点にユーザが前記弾性マットに作業する値を確定することとを含む、請求項３に記載の方法。
【請求項５】
運動タイプを取得することは、
前記弾性マットの表面の変形情報に基づいて現在の運動タイプを確定すること、または、
ユーザにより設定された現在の運動タイプを取得することを含む、請求項４に記載の方法。
【請求項６】
前記方法は、
複数回に取得されたエネルギー値を加算し、加算値が予め設定された閾値に達する場合、提示信号を送信することをさらに含む、請求項１に記載の方法。
【請求項７】
前記エネルギー値を記録した後、
前記エネルギー値を関連付けられたターゲット端末に送信して、前記ターゲット端末に前記エネルギー値を統計させて表示させることをさらに含む、請求項１に記載の方法。
【請求項８】
消費したエネルギー値を確定する装置であって、
弾性マットの表面の変形情報を取得するように構成される取得モジュールと、
前記弾性マットの表面の変形情報に基づいて、対応する変形を発生した場合のユーザが消費したエネルギー値を確定するように確定モジュールと、
前記エネルギー値を記録するように構成される記録モジュールとを備え、
前記変形情報は、前記弾性マットの表面の予め設定された各検出点の変形程度と変形時間を含み、
前記変形程度が一回の変形中、検出点における、前記弾性マットの表面の初期位置から最大変形位置までの距離であり、前記変形時間が一回の変形中、検出点に前記弾性マットの表面が初期位置から最大変形位置に変形する時間である、前記消費したエネルギー値を確定する装置。
【請求項９】
前記確定モジュールは、
前記弾性マットの表面の予め設定された各検出点の変形程度と変形時間に基づいて、前記弾性マットの各検出点にユーザが前記弾性マットに作業する値を確定し、
すべての予め設定された検出点に対応する作業値の総和をユーザが消費したエネルギー値として確定するように構成される、請求項８に記載の装置。
【請求項１０】
前記装置は、
変形程度、変形時間と予め設定された調整係数に基づいて、前記弾性マットの検出点に作業する値を計算する計算式を構築するように構築モジュールと、
前記弾性マットの各検出点に対して、実際に検出された前記検出点の変形程度、変形時間と前記検出点に作業する値に基づいて、前記計算式における各調整係数の値を確定し、各検出点に対応する、係数が確定された計算式を取得するように計算モジュールとをさらに備え、
前記確定モジュールが、
前記弾性マットの表面の予め設定された各検出点の変形程度と変形時間、および各検出点に対応する、係数が確定された計算式に基づいて、前記弾性マットの各検出点にユーザが前記弾性マットに作業する値を確定するように構成される、請求項９に記載の装置。
【請求項１１】
前記計算モジュールは、
前記弾性マットの各検出点に対して、各運動タイプにおいて、実際に検出された前記検出点の変形程度、変形時間と前記検出点に作業する値に基づいて、前記計算式における各調整係数の値を確定し、運動タイプ、検出点と係数が確定された計算式の対応関係を取得するように構成され、
前記確定モジュールは、
現在の運動タイプを取得するように構成される取得サブモジュールと、
前記運動タイプ、検出点と係数が確定された計算式の対応関係に基づいて、前記現在の運動タイプにおける各検出点に対応する、係数が確定された計算式を確定するように構成される計算サブモジュールと、
前記弾性マットの表面の予め設定された各検出点の変形程度と変形時間、および前記現在の運動タイプにおける各検出点に対応する、係数が確定された計算式に基づいて、前記弾性マットの各検出点にユーザが前記弾性マットに作業する値を確定するように構成される確定サブモジュールとを備える、請求項１０に記載の装置。
【請求項１２】
前記取得サブモジュールは、
前記弾性マットの表面の変形情報に基づいて現在の運動タイプを確定するように構成される、または、
ユーザにより設定された現在の運動タイプを取得するように構成される、請求項１１に記載の装置。
【請求項１３】
前記装置は、
複数回に取得されたエネルギー値を加算し、加算値が予め設定された閾値に達する場合、提示信号を送信するように構成される提示モジュールをさらに備える、請求項８に記載の装置。
【請求項１４】
前記装置は、
前記エネルギー値を関連付けられたターゲット端末に送信して、前記ターゲット端末に前記エネルギー値を統計させて表示させるように構成される送信モジュールをさらに備える、請求項８に記載の装置。
【請求項１５】
消費したエネルギー値を確定する装置であって、
プロセッサと、
プロセッサで実行可能な命令を記憶するように構成されるメモリとを備え、
前記プロセッサが、
弾性マットの表面の変形情報を取得し、
前記弾性マットの表面の変形情報に基づいて、対応する変形を発生した場合のユーザが消費したエネルギー値を確定し、
前記エネルギー値を記録するように構成され、
前記変形情報は、前記弾性マットの表面の予め設定された各検出点の変形程度と変形時間を含み、
前記変形程度が一回の変形中、検出点における、前記弾性マットの表面の初期位置から最大変形位置までの距離であり、前記変形時間が一回の変形中、検出点に前記弾性マットの表面が初期位置から最大変形位置に変形する時間である、前記消費したエネルギー値を確定する装置。
【発明の詳細な説明】
【技術分野】
【０００１】
本願は、出願番号２０１５１０６６０６４９．０、出願日２０１５年１０月１２日の中国特許出願に基づいて提出され、この中国特許出願の優先権を主張し、その全ての内容がここに参照として本明細書に組み込まれる。
【０００２】
本発明は、コンピュータ技術分野に関し、特に消費したエネルギー値を確定する方法および装置に関する。
【背景技術】
【０００３】
生活水準が向上し続けているのに伴い、人々は健康上の問題に注目しており、その中のより多くの人々は運動で健康を維持することを熱望する。一般的に、人々は運動中に消費したエネルギー値を計算して運動量を確定することを選択する。
【０００４】
人々は運動量を確定する時に、一般的に運動の名称と対応する時間を一回に記録し、その後、この運動の単位時間あたりの消費したエネルギー値を検索する。例えば、１分間の腹筋運動で消費したエネルギー値が１０カロリーであり、さらに自身の運動時間に基づいて自身の運動で消費したエネルギー値を計算することができ、これに対応して一回の運動の運動量を確定できる。
【０００５】
本発明に係る実施例を実現する過程において、発明者は、少なくとも以下の問題があることを発見した。
【０００６】
前記計算方式において、一つの運動で消費したエネルギー値がこの運動を行う時間のみに関係があり、同じ時間で一つの運動についての運動度合、頻度が異なるによって、消費したエネルギーも大きく異なることが考えられなく、そのため、運動時間に基づいて一つの運動で消費したエネルギー値を計算すると、運動で消費したエネルギー値の計算精度を大幅に低下させる。
【発明の概要】
【発明が解決しようとする課題】
【０００７】
本発明に係る実施例は、従来技術の課題を解決するために、消費したエネルギー値を確定する方法および装置を提供する。前記技術的解決手段は、次の通りである。
【課題を解決するための手段】
【０００８】
本発明の実施例の第一の態様による消費したエネルギー値を確定する方法は、
弾性マットの表面の変形情報を取得することと、
前記弾性マットの表面の変形情報に基づいて、対応する変形を発生した場合のユーザが消費したエネルギー値を確定することと、
前記エネルギー値を記録することとを含む。
【０００９】
また、前記変形情報は、前記弾性マットの表面の予め設定された各検出点の変形程度と変形時間を含み、
ここで、前記変形程度が一回の変形中、検出点における、前記弾性マットの表面の初期位置から最大変形位置までの距離であり、前記変形時間が、一回の変形中、検出点に前記弾性マットの表面が初期位置から最大変形位置に変形する時間である。
【００１０】
また、前記弾性マットの表面の変形情報に基づいて、対応する変形を発生した場合のユーザが消費したエネルギー値を確定することは、
前記弾性マットの表面の予め設定された各検出点の変形程度と変形時間に基づいて、前記弾性マットの各検出点にユーザが前記弾性マットに作業する値を確定することと、
すべての予め設定された検出点に対応する作業値の総和をユーザが消費したエネルギー値として確定することとを含む。
【００１１】
このようにして、ユーザが消費したエネルギー値を確定する場合、弾性マットの表面の各検出点の変形程度と変形時間に基づいて、運動で消費したエネルギー値の計算精度を向上させることができる。
【００１２】
また、前記方法は、
変形程度、変形時間と予め設定された調整係数に基づいて、前記弾性マットの検出点に作業する計算式を構築することと、
前記弾性マットの各検出点に対して、実際に検出された前記検出点の変形程度、変形時間と前記検出点に作業する値に基づいて、前記計算式における各調整係数の値を確定し、各検出点に対応する、係数が確定された計算式を取得することとをさらに含み、
前記弾性マットの表面の予め設定された各検出点の変形程度と変形時間に基づいて、前記弾性マットの各検出点にユーザが前記弾性マットに作業する値を確定することは、
前記弾性マットの表面の予め設定された各検出点の変形程度と変形時間、および各検出点に対応する、係数が確定された計算式に基づいて、前記弾性マットの各検出点にユーザが前記弾性マットに作業する値を確定することを含む。
【００１３】
このようにして、実際に検出された、弾性マットに作業する計算式に基づいて、ユーザが弾性マットに作業する値をより正確に計算することができる。
【００１４】
また、前記弾性マットの各検出点に対して、実際に検出された前記検出点の変形程度、変形時間と前記検出点に作業する値に基づいて、前記計算式における各調整係数の値を確定し、各検出点に対応する、係数が確定された計算式を取得することは、
前記弾性マットの各検出点に対して、各運動タイプにおいて、実際に検出された前記検出点の変形程度、変形時間と前記検出点に作業する値に基づいて、前記計算式における各調整係数の値を確定し、運動タイプ、検出点と係数が確定された計算式の対応関係を取得することを含み、
前記弾性マットの表面の予め設定された各検出点の変形程度と変形時間、および各検出点に対応する、係数が確定された計算式に基づいて、前記弾性マットの各検出点にユーザが前記弾性マットに作業する値を確定することは、
現在の運動タイプを取得することと、
前記運動タイプ、検出点と係数が確定された計算式の対応関係に基づいて、前記現在の運動タイプにおける各検出点に対応する、係数が確定された計算式を確定することと、
前記弾性マットの表面の予め設定された各検出点の変形程度と変形時間、および前記現在の運動タイプにおける各検出点に対応する、係数が確定された計算式に基づいて、前記弾性マットの各検出点にユーザが前記弾性マットに作業する値を確定することとを含む。
【００１５】
このようにして、各運動タイプの運動に対して、対応する計算式に基づいて、ユーザがこの運動をする時に弾性マットに作業する値をより正確に計算することができる。
【００１６】
また、運動タイプを取得することは、
前記弾性マットの表面の変形情報に基づいて現在の運動タイプを確定すること、または、
ユーザにより設定された現在の運動タイプを取得することを含む。
【００１７】
また、前記方法は、
複数回に取得されたエネルギー値を加算し、加算値が予め設定された閾値に達する場合、提示信号を送信することをさらに含む。
【００１８】
このようにして、毎回の運動で消費したエネルギー値が目標値に達する場合、ユーザは、タイムリーに知って後の手配を合理的かつ効果的に行うことができる。
【００１９】
また、前記エネルギー値を記録した後、
前記エネルギー値をバインドされたターゲット端末に送信して、前記ターゲット端末に前記エネルギー値を統計させて表示させることをさらに含む。
【００２０】
このようにして、ユーザは、端末に運動で消費したエネルギー値の履歴記録をより便利で検索することができる。
【００２１】
本発明の実施例の第二の態様による消費したエネルギー値を確定する装置は、
弾性マットの表面の変形情報を取得するように構成される取得モジュールと、
前記弾性マットの表面の変形情報に基づいて、対応する変形を発生した場合のユーザが消費したエネルギー値を確定するように確定モジュールと、
前記エネルギー値を記録するように構成される記録モジュールとを備える。
【００２２】
また、前記変形情報は、前記弾性マットの表面の予め設定された各検出点の変形程度と変形時間を含み、
ここで、前記変形程度が一回の変形中、検出点における、前記弾性マットの表面の初期位置から最大変形位置までの距離であり、前記変形時間が、一回の変形中、検出点に前記弾性マットの表面が初期位置から最大変形位置に変形する時間である。
【００２３】
また、前記確定モジュールは、
前記弾性マットの表面の予め設定された各検出点の変形程度と変形時間に基づいて、前記弾性マットの各検出点にユーザが前記弾性マットに作業する値を確定し、
すべての予め設定された検出点に対応する作業値の総和をユーザが消費したエネルギー値として確定するように構成される。
【００２４】
また、前記装置は、
変形程度、変形時間と予め設定された調整係数に基づいて、前記弾性マットの検出点に作業する計算式を構築するように構築モジュールと、
前記弾性マットの各検出点に対して、実際に検出された前記検出点の変形程度、変形時間と前記検出点に作業する値に基づいて、前記計算式における各調整係数の値を確定し、各検出点に対応する、係数が確定された計算式を取得するように計算モジュールとをさらに備え、
前記確定モジュールが、
前記弾性マットの表面の予め設定された各検出点の変形程度と変形時間、および各検出点に対応する、係数が確定された計算式に基づいて、前記弾性マットの各検出点にユーザが前記弾性マットに作業する値を確定するように構成される。
【００２５】
また、前記計算モジュールは、
前記弾性マットの各検出点に対して、各運動タイプにおいて、実際に検出された前記検出点の変形程度、変形時間と前記検出点に作業する値に基づいて、前記計算式における各調整係数の値を確定し、運動タイプ、検出点と係数が確定された計算式の対応関係を取得するように構成され、
前記確定モジュールは、
現在の運動タイプを取得するように構成される取得サブモジュールと、
前記運動タイプ、検出点と係数が確定された計算式の対応関係に基づいて、前記現在の運動タイプにおける各検出点に対応する、係数が確定された計算式を確定するように構成される計算サブモジュールと、
前記弾性マットの表面の予め設定された各検出点の変形程度と変形時間、および前記現在の運動タイプにおける各検出点に対応する、係数が確定された計算式に基づいて、前記弾性マットの各検出点にユーザが前記弾性マットに作業する値を確定するように構成される確定サブモジュールとを備える。
【００２６】
また、前記取得サブモジュールは、
前記弾性マットの表面の変形情報に基づいて現在の運動タイプを確定するように構成される、または、
ユーザにより設定された現在の運動タイプを取得するように構成される。
【００２７】
また、前記装置は、
複数回に取得されたエネルギー値を加算し、加算値が予め設定された閾値に達する場合、提示信号を送信するように構成される提示モジュールをさらに備える。
【００２８】
また、前記装置は、
前記エネルギー値をバインドされたターゲット端末に送信して、前記ターゲット端末に前記エネルギー値を統計させて表示させるように構成される送信モジュールをさらに備える。
【００２９】
本発明の実施例の第三の態様による消費したエネルギー値を確定する装置は、
プロセッサと、
プロセッサで実行可能な命令を記憶するように構成されるメモリとを備え、
ここで、前記プロセッサが、
弾性マットの表面の変形情報を取得し、
前記弾性マットの表面の変形情報に基づいて、対応する変形を発生した場合のユーザが消費したエネルギー値を確定し、
前記エネルギー値を記録するように構成される。
【００３０】
本発明の実施例による技術的解決手段は、以下の有益な効果を含むことができる。
【００３１】
本発明の実施例において、弾性マットの表面の変形情報を取得し、弾性マットの表面の変形情報に基づいて、対応する変形を発生した場合のユーザが消費したエネルギー値を確定し、エネルギー値を記録する。このようにして、ユーザが弾性マットで運動する時に、異なる程度で弾性マットの表面を押して、弾性マットは、弾性マットの表面の変形情報に基づいて、対応する変形を発生した場合のユーザが消費したエネルギー値を目的的に確定することができ、それによって、運動で消費したエネルギー値の計算精度を向上させることができる。
【００３２】
以上の一般的な説明と後の詳細な説明は、例示的および解釈的なものだけであるが、本発明を制限することができないことが理解される。
【図面の簡単な説明】
【００３３】
【図１】一つの例示的な実施例による消費したエネルギー値を確定する方法のフローチャートである。
【図２】一つの例示的な実施例による弾性マットに運動することを示す図である。
【図３ａ】一つの例示的な実施例による初期位置の説明図である。
【図３ｂ】一つの例示的な実施例による初期位置の説明図である。
【図４ａ】一つの例示的な実施例による最大変形位置の説明図である。
【図４ｂ】一つの例示的な実施例による最大変形位置の説明図である。
【図５】一つの例示的な実施例による消費したエネルギー値を確定する方法のフローチャートである。
【図６ａ】一つの例示的な実施例による実際に検出することを示す図である。
【図６ｂ】一つの例示的な実施例による実際に検出することを示す図である。
【図７】一つの例示的な実施例による消費したエネルギー値を確定する装置の構造図である。
【図８】一つの例示的な実施例による消費したエネルギー値を確定する装置の構造図である。
【図９】一つの例示的な実施例による消費したエネルギー値を確定する装置の構造図である。
【図１０】一つの例示的な実施例による消費したエネルギー値を確定する装置の構造図である。
【図１１】一つの例示的な実施例による消費したエネルギー値を確定する装置の構造図である。
【図１２】一つの例示的な実施例による弾性マットの構造図である。
【発明を実施するための形態】
【００３４】
ここの図面が明細書に組み込まれて本明細書の一部を構成し、本発明に係る実施例に合致する実施例を示し、そして明細書と共に本発明に係る実施例の原理を解釈することに用いられる。
【００３５】
上記の図面により、本発明に明確された実施例が示され、後に詳しく説明される。これらの図面および文字説明は、いかなる方式で本発明の構想範囲を制限するためのものではなく、特定の実施例を参照して当業者のために本発明の概念を説明するためのものである。
【００３６】
ここで例示的な実施例を詳しく説明し、その例が図面に示される。以下の説明が図面に関係する場合、特に明記しない限り、異なる図面における同じ数字が同じまたは類似の要素を表す。以下の例示的な実施例に説明される実施形態は、本発明に係る実施例と一致するすべての実施形態を代表しない。逆に、それらは、添付の特許請求の範囲に詳述された、本発明に係る実施例のいくつかの方面と一致する装置および方法の例だけである。
【００３７】
本発明の一つの例示的な実施例による消費したエネルギー値を確定する方法は、図１に示され、当該方法の処理プロセスが以下のステップを含むことができる。
【００３８】
ステップ１０１において、弾性マットの表面の変形情報を取得する。
【００３９】
ステップ１０２において、前記弾性マットの方面の変形情報に基づいて、対応する変形を発生した場合のユーザが消費したエネルギー値を確定する。
【００４０】
ステップ１０３において、前記エネルギー値を記録する。
【００４１】
本発明の実施例において、弾性マットの表面の変形情報を取得し、弾性マットの表面の変形情報に基づいて、対応する変形を発生した場合のユーザが消費したエネルギー値を確定し、エネルギー値を記録する。このようにして、ユーザが弾性マットに運動する時に、異なる程度で弾性マットの表面を押すと、弾性マットは、弾性マットの表面の変形情報に基づいて、対応する変形を発生した場合のユーザが消費したエネルギー値を目的的に確定することができ、それによって運動で消費したエネルギー値の計算精度を向上させることができる。
【００４２】
本発明の別の例示的な実施例による消費したエネルギー値を確定する方法は、弾性マットに用いられることができ、ここで、弾性マットがスマートマットレス、スマートヨガマットなどであってよい。当該弾性マットにセンサ、プロセッサ、メモリが設置されることができ、センサが弾性マットの表面の変形情報を検出するように構成され、例えば変位センサであり、プロセッサが消費したエネルギー値を確定する過程を処理するように構成され、メモリが下記の処理過程に必要なデータおよび生成されたデータを記憶するように構成される。弾性マットにも通信部材、提示部材などが設置されることができ、通信部材がデータの送信を行うように構成され、提示部材が提示信号を送信するように構成され、ラッパ、インジケータライト、ディスプレイスクリーンなどであってよい。実施例において、弾性マットがスマートマットレスであることを例にして、解決手段の詳細な説明を行い、他の状況がこれと類似し、本実施例において説明を省略する。以下に実施形態を参照して、図１に示す処理プロセスを詳しく説明し、内容が次の通りであってよい。
【００４３】
ステップ１０１において、弾性マットの表面の変形情報を取得する。
【００４４】
実施例において、ユーザが弾性マットで運動する場合、弾性マットの弾性表面は、図２に示すように、ユーザが弾性マットを押すことにより、対応する変形を発生することができる。この場合、弾性マットにおけるセンサは、弾性マットの表面の変形情報を検出して記録することができる。
【００４５】
また、変形情報は、弾性マットの表面の予め設定された各検出点の変形程度と変形時間を含むことができ、変形程度が一回の変形中、検出点における、弾性マットの表面の初期位置から最大変形位置までの距離であり、変形時間が、一回の変形中、検出点に弾性マットの表面が初期位置から最大変形位置に変形する時間である。初期位置は、ユーザが弾性マットの表面に位置し且つ運動しようとする姿勢にある場合、弾性マットの表面が変形し且つ安定した後、検出点における、弾性マットの表面の位置である。一回の変形過程は、弾性マットの表面の変形量が増大したり、減少したりする往復変化過程のうちの一回の往復変化過程であってよい。
【００４６】
実施中、ユーザが弾性マットで運動する場合、弾性マットの弾性な表面は、ユーザが弾性マットを押すことにより、変形を発生することができる。この場合、弾性マットの変位センサは、ユーザが運動する場合、弾性マットの各検出点に対応する弾性マットの表面が垂直方向に発生する変位量（すなわち変形程度）と対応する変位にかかる時間（即ち変形時間）を検出することができる。理解を容易にするために、ここでユーザが弾性マットで腹筋運動を行うことを例にする。まず、ユーザは、弾性マットに寝そべて、重力の作用力で弾性マットの表面をある程度に押すことができ、ユーザが横たわっていて弾性マットが安定した状態にある場合、図３ａ、図ｂに示すように、各検出点の弾性マットの表面への押圧程度を記録し、そしてそれを初期位置として記録することができる。その後、図４ａ、図４ｂに示すように、ユーザが上半身を座り状態まで上に上げた後、横たわっていて寝そべり状態に回復し、この場合、弾性マットの表面が初期位置に戻り、前記過程が一回の変形過程として記録されることができ、当該過程に一つの検出点の弾性マットの表面への押圧程度をリアルタイムに記録し、弾性マットの表面への押圧程度が最大である位置を最大変形位置として記録することができる。各検出点に対して、前記変形過程は、当該検出点に対応する弾性マットの表面が前記一回の変形過程に初期位置から最大変形位置に達する距離であってよく、前記変形時間は、当該検出点に対応する弾性マットの表面が前記一回の変形過程に初期位置から最大変形位置に達する時間であってよい。
【００４７】
ステップ１０２において、弾性マットの表面の変形情報に基づいて、対応する変形を発生した場合のユーザが消費したエネルギー値を確定する。
【００４８】
実施中、弾性マットは、センサにより記録された弾性マットの表面の変形情報に基づいて予め設定されたエネルギー値確定方式に従ってユーザが前記変形に対応する運動をする時に消費したエネルギー値を確定することができる。
【００４９】
また、前記変形情報が弾性マットの表面の予め設定された各検出点の変形程度と変形時間を含む場合に対して、ステップ１０２の処理は、弾性マットの表面の予め設定された各検出点の変形程度と変形時間に基づいて、弾性マットの各検出点にユーザが弾性マットに作業する値を確定し、すべての予め設定された検出点に対応する作業値の総和をユーザが消費したエネルギー値として確定することであてよい。
【００５０】
実施中、弾性マットは、各予め設定された検出点の変形程度と変形時間を確定した後、弾性マットの表面の予め設定された各検出点の変形程度と変形時間に基づいて、予め設定されたエネルギー値確定方式に従って各検出点にユーザが弾性マットに作業する値を確定することができ、その後予め設定された検出点の対応する、作業する値を選択し、すべての予め設定された検出点に対応する作業値の総和をユーザが前記変形に対応する運動をする時に消費したエネルギー値として確定することができる。
【００５１】
ステップ１０３において、エネルギー値を記録する。
【００５２】
実施中、弾性マットは、確定された、ユーザが消費したエネルギー値をメモリに記録することができる。
【００５３】
本発明の実施例において、変形情報でエネルギー値を計算するための計算式を予め設定することができ、図５に示すように、対応する処理プロセスは、次の通りであってよい。
【００５４】
ステップ２０１において、変形程度、変形時間と予め設定された調整係数に基づいて、弾性マットの検出点に作業する計算式を構築する。
【００５５】
実施中、技術者は、弾性マットの検出点に作業するのに影響を与える様々な変数、例えば弾性マットの表面の変形程度、変形時間および他の要因を研究して確定することができ、さらにこれらの変数に基づいて弾性マットの検出点に作業する計算式を構築することができる。
【００５６】
ステップ２０２において、弾性マットの各検出点に対して、実際に検出された検出点の変形程度、変形時間と検出点に作業する値に基づいて、計算式における各調整係数の値を確定し、各検出点に対応する、係数が確定された計算式を取得する。
【００５７】
実施中、実際の検出において、技術者は、弾性マットで運動し、例えば腹筋運動、足上げなどを行うことができ、この場合に弾性マットが各検出点に対応する弾性マットの表面の変形情報と変形時間を記録し、同時に精密な検出機器で技術者が運動する時に消費したエネルギー値を検出することができる。運動が終了した後、運動シミュレーションのための複数の機器で技術者の運動をシミュレートすることができ、即ち各機器は、図６ａ、図６ｂに示すように、前記弾性マットにより記録された変形程度と変形時間に従って、一つの検出点に対応する弾性マットの表面を押して前記運動をシミュレートする。シミュレーションが終了した後、各機器は、自身で消費したエネルギー値と機械効率に基づいて、機器が検出点に作業する値を計算することができ、その後すべての機器が検出点に作業する値を加算し、シミュレーション過程におけるすべての機器が弾性マットに作業する値の総和を取得することができる。さらに、機器が弾性マットに作業する値の総和と技術者が運動する時に消費したエネルギー値に基づいて、機器が弾性マットに作業することと技術者が弾性マットに作業することの対応関係を取得し、さらに各機器が対応する検出点に作業する値を参照して、技術者が弾性マットで運動する時に各検出点に作業する値を取得できる。このようにして、複数回の前記実際テストを行った後、統計フィッティング方式で計算式における各調整係数の値を確定し、それによって各検出点に対応する、係数が確定された計算式を取得することができる。
【００５８】
また、運動タイプによって異なる計算式に対応することができ、ステップ２０２は、弾性マットの各検出点に対して、各運動タイプにおいて、実際に検出された検出点の変形程度、変形時間と検出点に作業する値に基づいて、計算式における各調整係数の値を確定し、運動タイプ、検出点と係数が確定された計算式の対応関係を取得するように処理されることができる。
【００５９】
実施中、実際の検出において、技術者は、弾性マットで予め設定された運動、例えば腹筋運動、足上げなどを行うことができ、この場合に弾性マットが各検出点に対応する弾性マットの表面の変形程度と変形時間を記録し、同時に精密な検出機器で技術者がある予め設定されたタイプの運動を行う時に消費したエネルギー値を検出することができる。運動が終了した後、運動シミュレーションのための複数のシミュレーション機器で技術者が行う運動をシミュレートすることができ、即ち前記弾性マットにより記録された変形程度と変形時間に従って、各機器が一つの検出点に対応する弾性マットの表面を押して前記運動をシミュレートする。シミュレーションが終了した後、各機器は、自身で消費したエネルギー値と機械効率に基づいて機器が検出点に作業する値を計算することができ、その後すべての機器が検出点に作業する値を加算し、シミュレーション過程におけるすべての機器が弾性マットに作業する値の総和を取得する。さらに、機器が弾性マットに作業する値の総和と技術者が運動する時に消費したエネルギー値に基づいて、機器が弾性マットに作業することと技術者が弾性マットに作業することの対応関係を取得し、さらに各機器の対応する検出点に作業する値を参照して、技術者が弾性マットで予め設定されたタイプの運動を行う時に各検出点に作業する値を取得できる。このようにして、複数回の前記実際テストを行った後、統計フィッティング方式で計算式における各調整係数の値を確定して、それによって運動タイプ、検出点と係数が確定された計算式の対応関係を取得することができる。
【００６０】
ステップ２０３において、弾性マットの表面の予め設定された各検出点の変形程度と変形時間、および各検出点に対応する、係数が確定された計算式に基づいて、弾性マットの各検出点にユーザが弾性マットに作業する値を確定する。
【００６１】
実施中、弾性マットは、各予め設定された検出点の変形程度と変形時間を確定した後、弾性マットの表面の予め設定された各検出点の変形程度と変形時間に基づいて、各検出点に対応する、係数が確定された計算式に従って各検出点にユーザが弾性マットに作業する値を確定することができ、その後予め設定された検出点に対応する作業値を選択し、すべての予め設定された検出点に対応する作業値の総和をユーザが前記変形に対応する運動を行う時に消費したエネルギー値として確定することができる。
【００６２】
また、前記運動タイプが計算式に対応する場合に対して、ステップ２０３は、現在の運動タイプを取得し、運動タイプ、検出点と係数が確定された計算式の対応関係に基づいて、現在の運動タイプにおける各検出点に対応する、係数が確定された計算式を確定し、弾性マットの表面の予め設定された各検出点の変形程度と変形時間、および現在の運動タイプにおける各検出点に対応する、係数が確定された計算式に基づいて、弾性マットの各検出点にユーザが弾性マットに作業する値を確定するように処理されることができる。
【００６３】
実施中、弾性マットは、予め設定された方式に基づいて現在の運動タイプを取得し、その後ステップ２０３において取得された運動タイプ、検出点と係数が確定された計算式の対応関係に基づいて、現在の運動タイプにおける各検出点に対応する、係数が確定された計算式を確定することができ、さらに予め設定された各検出点の変形程度と変形時間を確定した後、弾性マットの表面の予め設定された各検出点の変形程度と変形時間に基づいて、各検出点に対応する、係数が確定された計算式に従って各検出点にユーザが弾性マットに作業する値を確定することができ、その後予め設定された検出点に対応する作業値を選択し、すべての予め設定された検出点に対応する作業値の総和をユーザが前記変形に対応する運動を行う時に消費したエネルギー値として確定することができる。
【００６４】
前記運動タイプの場合と類似し、使用時間の総和が異なる弾性マット、異なる材料の弾性マットに対して、実際の検出により対応する計算式を確定することができ、それによってユーザが弾性マットで運動する過程において、対応する計算式を目的的に選択することができると言うすべきである。
【００６５】
身長および体重が異なるユーザに対して、異なるタイプの弾性マットが提供されることができ、且つ弾性マットのマニュアルに運動する場合の弾性マットの最適な使用領域が記載されている。更に如実な言うと、弾性マットに輪郭線を付けることができ、ユーザが運動する時に輪郭線中の領域に位置する場合、検出された、運動する時に消費したエネルギー値が最も正確である。
【００６６】
また、弾性マットが現在の運動タイプを取得するアプローチは、様々なものであり、以下に２つの実行可能なアプローチが示される。
【００６７】
アプローチ１：弾性マットの表面の変形情報に基づいて現在の運動タイプを確定する。
【００６８】
実施中、異なる運動タイプが弾性マットの表面の特定の変形情報に対応することができ、このようにして弾性マットは、検出された表面の変形情報に基づいて、変形情報に最も近い運動タイプを確定することができ、それによって現在の運動タイプを確定することができる。
【００６９】
アプローチ２：ユーザにより設定された現在の運動タイプを取得する。
【００７０】
実施中、ユーザは、弾性マットの機能インターフェースまたは弾性マットにバインドされた端末に現在の運動タイプを設定することができ、このようにして弾性マットは、ユーザにより設定された内容に応じて現在の運動タイプを取得することができる。
【００７１】
また、ユーザの運動量が目標値に達する場合、弾性マットは、提示信号を送信することができ、これに対応する処理は、複数回に取得されたエネルギー値を加算し、加算値が予め設定された閾値に達した場合、提示信号を送信することであってよい。
【００７２】
実施中、ユーザは、予め身体の状況などに基づいて毎回の運動で消費したエネルギー値に対して閾値を設定することができる。弾性マットがユーザにより入力された運動開始命令を受信した場合、弾性マットは、この前に記録されたユーザが消費したエネルギー値をクリアし、弾性マットが一回に変形した場合のユーザが消費したエネルギー値を記録することができる。その後、弾性マットは、複数回に取得されたユーザが消費したエネルギー値を加算し、加算値が予め設定された閾値に達した場合、提示信号を送信することができ、例えばインジケータライトが点滅することまたは鐘が鳴って、今回の運動で消費したエネルギー値が目標値以上であり、タイムリーな休みに注意することをユーザに提示する。
【００７３】
また、弾性マットは、ユーザが運動した後、エネルギー値をバインドされたターゲット端末に送信してターゲット端末にエネルギー値を統計させて表示させることができる。
【００７４】
本発明の実施中、弾性マットの表面の変形情報を取得し、弾性マットの表面の変形情報に基づいて、対応する変形を発生した場合のユーザが消費したエネルギー値を確定し、エネルギー値を記録する。このようにして、ユーザが弾性マットで運動する時に、異なる程度で弾性マットの表面を押して、弾性マットは、弾性マットの表面の変形情報に基づいて対応する変形を発生した場合のユーザが消費したエネルギー値を目的的に確定することができ、それによって運動で消費したエネルギー値の計算精度を向上させることができる。
【００７５】
同じ技術思想に基づいて、本発明に係る別の例示的な実施例による消費したエネルギー値を確定する装置は、図７に示すように、取得モジュール７１０、確定モジュール７２０と記録モジュール７３０を備える。
【００７６】
取得モジュール７１０は、弾性マットの表面の変形情報を取得するように構成される。
【００７７】
確定モジュール７２０は、前記弾性マットの表面の変形情報に基づいて、対応する変形を発生した場合のユーザが消費したエネルギー値を確定するように構成される。
【００７８】
記録モジュール７３０は、前記エネルギー値を記録するように構成される。
【００７９】
また、前記変形情報は、前記弾性マットの表面の予め設定された各検出点の変形程度と変形時間を含む。
【００８０】
ここで、前記変形程度は、一回の変形中、検出点における、前記弾性マットの表面の初期位置から最大の変形位置までの距離であり、前記変形時間は、一回の変形中、検出点に前記弾性マットの表面が初期位置から最大変形位置に変形する時間である。
【００８１】
また、前記確定モジュール７２０は、
前記弾性マットの表面の予め設定された各検出点の変形程度と変形時間に基づいて、前記弾性マットの各検出点にユーザが前記弾性マットに作業する値を確定し、
すべての予め設定された検出点に対応する作業値の総和をユーザが消費したエネルギー値として確定するように構成される。
【００８２】
また、図８に示すように、前記装置は、
変形程度、変形時間と予め設定された調整係数に基づいて、前記弾性マットの検出点に作業する計算式を構築するように構成される構築モジュール７４０と、
前記弾性マットの各検出点に対して、実際に検出された前記検出点の変形程度、変形時間と前記検出点に作業する値に基づいて、前記計算式における各調整係数の値を確定し、各検出点に対応する、係数が確定された計算式を取得するように構成される計算モジュール７５０とをさらに備える。
【００８３】
前記確定モジュール７２０は、
前記弾性マットの表面の予め設定された各検出点の変形程度と変形時間、および各検出点に対応する、係数が確定された計算式に基づいて、前記弾性マットの各検出点にユーザが前記弾性マットに作業する値を確定するように構成される。
【００８４】
また、前記計算モジュール７５０は、
前記弾性マットの各検出点に対して、各運動タイプにおいて、実際に検出された検出点の変形程度、変形時間と前記検出点に作業する値に基づいて、前記計算式における各調整係数の値を確定し、運動タイプ、検出点と係数が確定された計算式の対応関係を取得するように構成される。
【００８５】
図９に示すように、前記確定モジュール７２０は、
現在の運動タイプを取得するように構成される取得サブモジュール７２０１と、
前記運動タイプ、検出点と係数が確定された計算式の対応関係に基づいて、前記現在の運動タイプにおける各検出点に対応する、係数が確定された計算式を確定するように構成される計算サブモジュール７２０２と、
前記弾性マットの表面の予め設定された各検出点の変形程度と変形時間、および前記現在の運動タイプにおける各検出点に対応する、係数が確定された計算式に基づいて、前記弾性マットの各検出点にユーザが前記弾性マットに作業する値を確定するように構成される確定サブモジュール７２０３とを備える。
【００８６】
また、前記取得サブモジュール７２０１は、
前記弾性マットの表面の変形情報に基づいて現在の運動タイプを確定する、または、
ユーザにより設定された現在の運動タイプを取得するように構成される。
【００８７】
また、図１０に示すように、前記装置は、
複数回に取得されたエネルギー値を加算し、加算値が予め設定された閾値に達した場合、提示信号を送信するように構成される提示モジュール７６０をさらに備える。
【００８８】
また、図１１に示すように、前記装置は、
前記エネルギー値をバインドされたターゲット端末に送信し、前記ターゲット端末に前記エネルギー値を統計させて表示させるように構成される送信モジュール７７０をさらに備える。
【００８９】
前記実施例における装置について、その中の各モジュールが操作を実行する具体的な方式は、すでに当該方法に関する実施例に詳しく説明されるので、ここで詳しく説明されない。
【００９０】
本発明に係る実施例において、弾性マットの表面の変形情報を取得し、弾性マットの表面の変形情報に基づいて、対応する変形を発生した場合のユーザが消費したエネルギー値を確定し、エネルギー値を記録する。このようにして、ユーザが弾性マットで運動する時に、異なる程度で弾性マットを押して、弾性マットは、弾性マットの表面の変形情報に基づいて対応する変形を発生した場合のユーザが消費したエネルギー値を目的的に確定することができ、それによって運動で消費したエネルギー値の計算精度を向上させることができる。
【００９１】
前記実施例による消費したエネルギー値を確定した装置は、消費したエネルギー値を確定する場合に、前記各機能モジュールの分割を例に挙げて説明するだけであるが、実際の応用において、需要に応じて前記機能を割り当てて異なる機能モジュールによって完了し、即ち装置の内部構造を異なる機能に分割して、上記のすべてまたは一部の機能を完了することができると説明すべきである。また、前記実施例による消費したエネルギー値を確定する装置が消費したエネルギー値を確定する方法の実施例と同じ構想に属し、その具体的な実現過程について方法の実施例を参照してください。ここで説明は、省略する。
【００９２】
本発明の別の例示的な実施例による弾性マットの構造図において、当該弾性マットは、スマートマットレスであってよい。
【００９３】
図１２を参照し、弾性マット８００は、処理部材８０２、メモリ８０４、電源部材８０６、マルチメディア部材８０８、オーディオ部材８１０、入力／出力（Ｉ／Ｏ）インターフェイス８１２、センサ部材８１４、及び通信部材８１６のうちの一つまたは少なくとも２つの部材を含むことができる。
【００９４】
処理部材８０２は、通常、弾性マット８００の全体操作、例えば表示および記録操作に関連する操作を制御する。処理部材８０２は、１つ以上のプロセッサ８２０を含んで命令を実行して、上記の方法のすべてまたは一部のステップを完了することができる。また、処理部材８０２は、１つ以上のモジュールを含んで、処理部材８０２と他の部材のインタラクションに便利を与えることができる。例えば、処理部材８０２は、マルチメディアモジュールを含んで、マルチメディア部材８０８と処理部材８０２とのインタラクションのために便利を与えることができる。
【００９５】
メモリ８０４は、様々なタイプのデータを記憶して弾性マット８００での操作をサポートするように構成される。これらのデータの例は、弾性マット８００に操作するためのいかなるアプリケーションまたは方法の命令などを含む。メモリ８０４は、いかなるタイプの揮発性または不揮発性記憶装置またはそれらの組み合わせによって実現されることができ、例えばスタティックランダムアクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラマブルリードオンリーメモリ（ＰＲＯＭ）、リードオンリーメモリ（ＲＯＭ）、磁気メモリ、フラッシュメモリ、磁気ディスクまたは光ディスクである。
【００９６】
電源部材８０６は、弾性マット８００の様々な部材に電力を提供する。電源部材８０６は、電源管理システム、１つ以上の電源、および他の、弾性マット８００のために電力を生成し、管理して割り当てることに関連する部材を含むことができる。
【００９７】
マルチメディア部材８０８は、前記弾性マット８００とユーザの間に１つの出力インタフェースを提供するスクリーンを含む。いくつかの実施例において、スクリーンは、液晶ディスプレイ（ＬＣＤ）とタッチパネル（ＴＰ）を含むことができる。スクリーンがタッチパネルを含むと、スクリーンは、タッチスクリーンとして実現され、ユーザからの入力信号を受信することができる。タッチパネルは、１つ以上のタッチセンサを含んでタッチ、スワイプとタッチパネルでのジェスチャーをセンシングする。前記タッチセンサは、タッチまたはスワイプ操作の境界をセンシングするだけでなく、タッチまたはスワイプ操作に関連する持続時間と圧力を検出することができる。いくつかの実施例において、マルチメディア部材８０８は、１つのフロントカメラおよび／またはリアカメラを含む。弾性マット８００が操作モード、例えば撮影モードまたはビデオモードにある場合、フロントカメラおよび／またはリアカメラは、外部のマルチメディアデータを受信することができる。各フロントカメラおよび／またはリアカメラは、１つの固定された光学レンズシステムであってよいまたはフォーカスと光学ズーム機能を備える。
【００９８】
オーディオ部材８１０は、オーディオ信号を出力および／または入力するように構成される。例えば、オーディオ部材８１０は、１つのマイク（ＭＩＣ）を含み、弾性マット８００が操作モード、例えば放送モード、記録モードと音声識別モードにある場合、マイクが外部のオーディオ信号を受信するように構成される。受信されたオーディオ信号は、さらにメモリ８０４に記憶されるまたは通信部材８１６を介して送信されることができる。
【００９９】
Ｉ／Ｏインタフェース８１２は、処理部材８０２と周辺インタフェースモジュールの間にインタフェースを提供し、前記周辺インタフェースモジュールがキーボード、クリックホイール、ボタンなどであってよい。これらのボタンは、ホームボタン、音量ボタン、起動ボタンとロックボタンを含むことができるがこれらに限られない。
【０１００】
センサ部材８１４は、１つ以上のセンサを含み、弾性マット８００に各方面の状態評価を提供するように構成される。例えば、センサ部材８１４は、弾性マット８００のオン／オフ状態、部材の相対的な位置決めを検出することができ、例えば前記部材が弾性マット８００の表示器とキーパッドであり、センサ部材８１４は、さらに弾性マット８００または弾性マット８００の１つの部材の位置変化、ユーザと弾性マット８００の接触が存在するまたは存在しないこと、弾性マット８００の方位または加速／減速と弾性マット８００の温度変化を検出することができる。センサ部材８１４は、いかなる物理的接触がない場合に付近の物体の存在を検出するように構成される近接センサを含むことができる。センサ部材８１４は、イメージングアプリケーションに使用される光センサ、例えばＣＭＯＳまたはＣＣＤ画像センサをさらに含むことができる。いくつかの実施例において、当該センサ部材８１４は、加速度センサ、ジャイロセンサ、磁気センサ、圧力センサまたは温度センサをさらに含むことができる。
【０１０１】
通信部材８１６は、弾性マット８００と他の装置の間の有線または無線通信を容易にするように構成される。弾性マット８００は、通信基準に基づく無線ネットワーク、例えばＷｉＦｉ、２Ｇまたは３Ｇ、またはそれらの組み合わせにアクセスすることができる。一つの例示的な実施例において、通信部材８１６は、放送チャネルを介して外部放送管理システムからの放送信号または放送関連情報を受信する。一つの例示的な実施例において、前記通信部材８１６は、さらに近距離無線通信（ＮＦＣ）モジュールを含んで、近距離通信を促進する。例えば、ＮＦＣモジュールにおいてＲＦ識別（ＲＦＩＤ）技術、赤外線データ協会（ＩｒＤＡ）技術、超広帯域（ＵＷＢ）技術、ブルートゥース（登録商標）（ＢＴ）技術と他の技術に基づいて実現することができる。
【０１０２】
例示的な実施例において、弾性マット８００は、１つ以上の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子素子により実現されることができ、前記方法を実行するように構成される。
【０１０３】
例示的な実施例において、命令を含む非一時的コンピュータ可読記憶媒体、例えば命令を含むメモリ８０４が提供され、前記命令が弾性マット８００のプロセッサ８２０によって実行されて前記方法を実行することができる。例えば、前記非一時的コンピュータ可読記憶媒体は、ＲＯＭ、ランダムアクセスメモリ（ＲＡＭ）、ＣＤ−ＲＯＭ、磁気テープ、フロッピー（登録商標）ディスクと光データ記憶装置などであってよい。
【０１０４】
非一時的コンピュータ可読記憶媒体であって、前記記憶媒体における命令が弾性マットのプロセッサによって実行される場合、弾性マットは、消費したエネルギー値を確定する方法を実行することができ、当該方法は、
弾性マットの表面の変形情報を取得することと、
前記弾性マットの表面の変形情報に基づいて、対応する変形を発生した場合のユーザが消費したエネルギー値を確定することと、
前記エネルギー値を記録することとを含む。
【０１０５】
また、前記変形情報は、前記弾性マットの表面の予め設定された各検出点の変形程度と変形時間を含む。
【０１０６】
ここで、前記変形程度は、一回の変形中、検出点における、前記弾性マットの表面の初期位置から最大変形位置までの距離であり、前記変形時間は、一回の変形中、検出点に前記弾性マットの表面が初期位置から最大変形位置に変形する時間である。
【０１０７】
また、前記弾性マットの表面の変形情報に基づいて、対応する変形を発生した場合のユーザが消費したエネルギー値を確定することは、
前記弾性マットの表面の予め設定された各検出点の変形程度と変形時間に基づいて、前記弾性マットの各検出点にユーザが前記弾性マットに作業する値を確定することと、
すべての予め設定された検出点に対応する作業値の総和をユーザが消費したエネルギー値として確定することとを含む。
【０１０８】
また、前記方法は、
変形程度、変形時間と予め設定された調整係数に基づいて、前記弾性マットの検出点に作業する計算式を構築することと、
前記弾性マットの各検出点に対して、実際に検出された前記検出点の変形程度、変形時間と前記検出点に作業する値に基づいて、前記計算式における各調整係数の値を確定し、各検出点に対応する、係数が確定された計算式を取得することとをさらに含み、
前記弾性マットの表面の予め設定された各検出点の変形程度と変形時間に基づいて、前記弾性マットの各検出点にユーザが前記弾性マットに作業する値を確定することは、
前記弾性マットの表面の予め設定された各検出点の変形程度と変形時間、および各検出点に対応する、係数が確定された計算式に基づいて、前記弾性マットの各検出点にユーザが前記弾性マットに作業する値を確定することを含む。
【０１０９】
また、前記弾性マットの各検出点に対して、実際に検出された前記検出点の変形程度、変形時間と前記検出点に作業する値に基づいて、前記計算式における各調整係数の値を確定し、各検出点に対応する、係数が確定された計算式を取得することは、
前記弾性マットの各検出点に対して、各運動タイプにおいて、実際に検出された前記検出点の変形程度、変形時間と前記検出点に作業する値に基づいて、前記計算式における各調整係数の値を確定し、運動タイプ、検出点と係数が確定された計算式の対応関係を取得することを含み、
前記弾性マットの表面の予め設定された各検出点の変形程度と変形時間、および各検出点に対応する、係数が確定された計算式に基づいて、前記弾性マットの各検出点にユーザが前記弾性マットに作業する値を確定することは、
現在の運動タイプを取得することと、
前記運動タイプ、検出点と係数が確定された計算式の対応関係に基づいて、前記現在の運動タイプにおける各検出点に対応する、係数が確定された計算式を確定することと、
前記弾性マットの表面の予め設定された各検出点の変形程度と変形時間、および前記現在の運動タイプにおける各検出点に対応する、係数が確定された計算式に基づいて、前記弾性マットの各検出点にユーザが前記弾性マットに作業する値を確定することとを含む。
【０１１０】
また、運動タイプを取得することは、
前記弾性マットの表面の変形情報に基づいて現在の運動タイプを確定すること、または、
ユーザにより設定された現在の運動タイプを取得することを含む。
【０１１１】
また、前記方法は、
複数回に取得されたエネルギー値を加算し、加算値が予め設定された閾値に達する場合、提示信号を送信することをさらに含む。
【０１１２】
また、前記エネルギー値を記録した後、
前記エネルギー値をバインドされたターゲット端末に送信して、前記ターゲット端末に前記エネルギー値を統計させて表示させることをさらに含む。
【０１１３】
本発明の実施例において、弾性マットの表面の変形情報を取得し、弾性マットの表面の変形情報に基づいて、対応する変形を発生した場合のユーザが消費したエネルギー値を確定し、エネルギー値を記録する。このようにしてユーザが弾性マットに運動する時に、対応して異なる程度で弾性マットの表面に圧力を与えると、弾性マットは、弾性マットの表面の変形情報に基づいて、対応する変形を発生した場合のユーザが消費したエネルギー値を目的的に確定することができ、それによって運動で消費したエネルギー値の計算精度を向上させることができる。
【０１１４】
当業者は、明細書を考慮してここに開示される発明を実践した後に、容易に本発明に係る他の実施例を考える。本願は、本発明のいかなる変形、用途または適応性変化をカバーすることを意図し、これらの変形、用途または適応性変化が本発明の一般的な原理に従い且つ本発明に開示されない本技術分野における公知の常識または慣用技術手段を含む。明細書と実施例は、ただ例示的なものだけと見なされ、本発明の真の範囲および精神が以下の特許請求の範囲によって示される。
【０１１５】
本発明は、以上に説明され且つ図面に示す正確な構造に限られなく、且つその範囲から逸脱しなくて各種類の変更と変化を行うことができると理解すべきである。本発明の範囲は、添付の特許請求の範囲のみによって限定される。
【産業上の利用可能性】
【０１１６】
本発明の実施例において、弾性マットの表面の変形情報を取得し、弾性マットの表面の変形情報に基づいて、対応する変形を発生した場合のユーザが消費したエネルギー値を確定し、エネルギー値を記録する。このようにして、ユーザが弾性マットで運動する時に、異なる程度で弾性マットの表面を押して、弾性マットは、弾性マットの表面の変形情報に基づいて、対応する変形を発生した場合のユーザが消費したエネルギー値を目的的に確定することができ、それによって、運動で消費したエネルギー値の計算精度を向上させることができる。
【図１】
0006397503.tif 000002
【図２】
0006397503.tif 000003
【図３ａ】
0006397503.tif 000004
【図３ｂ】
0006397503.tif 000005
【図４ａ】
0006397503.tif 000006
【図４ｂ】
0006397503.tif 000007
【図５】
0006397503.tif 000008
【図６ａ】
0006397503.tif 000009
【図６ｂ】
0006397503.tif 000010
【図７】
0006397503.tif 000011
【図８】
0006397503.tif 000012
【図９】
0006397503.tif 000013
【図１０】
0006397503.tif 000014
【図１１】
0006397503.tif 000015
【図１２】
0006397503.tif 000016